(57)【要約】      （修正有）【課題】仮設足場を構成する建枠のスパンのサイズに容易に対応し、簡単に装着できる安全性の高い仮設用朝顔装置を提供する。【解決手段】仮設足場の建枠１スパンごとに１つずつ取り付ける支持アーム１１と、隣接する支持アーム１１間に取り付けるパネル部２１とからなる仮設用朝顔装置１で、支持アーム１１は、一端が上部取付金具１４を介して建枠に取り付けられ、パネル部２１の両側を支持する主受材１２と、一端が主受材１２の下方に下部取付金具１５を介して建枠に取り付けられ、他端が主受材１２の下面に接続される方杖材１３とからなっている。パネル部２１は、パネル部２１の枠組を構成する複数のフレーム材２３とフレーム材２３間の板材２２とからなり、パネル部２１の建枠側基部が主受材１２の建枠側基部に対し回動自在であり、パネル部２１の先端両側部には、支持アーム１１の先端部に対し、係脱可能な係合部１６、２５が設けられている。【選択図】図１
2012117340.tif 000002
【特許請求の範囲】
【請求項１】
仮設足場を構成する建枠１スパンごとに１つずつ取り付けられる複数の支持アームと、隣接する支持アーム間にそれぞれ取り付けられるパネル部とからなる仮設用朝顔装置であって、前記支持アームは、一端が前記建枠に対し上部取付金具を介して取り付けられ、仮設足場の外方向に張り出して、前記パネル部の両側を支持する主受材と、一端が前記建枠に対し前記主受材より下方位置で下部取付金具を介して取り付けられ、他端が前記主受材の下面に接続される方杖材とからなり、前記パネル部は、該パネル部の枠組を構成する複数のフレーム材とフレーム材間に取り付けた板材とからなり、前記パネル部の建枠側基部が前記支持アームの主受材の建枠側基部に対し回動自在に取り付けられ、前記パネル部の先端両側部には、前記支持アームの先端部に対し、係脱可能な係合部が設けられていることを特徴とする仮設用朝顔装置。
【請求項２】
前記方杖材を伸縮自在とし、前記主受材の下面に回動自在に接続することで、支持アームを折り畳み可能としてあることを特徴とする請求項１記載の仮設用朝顔装置。
【発明の詳細な説明】
【技術分野】
【０００１】
本発明は、建設現場が道路等に隣接している場合、材料や道具等の落下を防止するために仮設足場に設ける仮設用朝顔装置に関するものである。
【背景技術】
【０００２】
仮設用朝顔装置は、中高層建築物の建設現場等において、仮設足場から外側への材料や道具等の落下を防止するために仮設足場の外側に張り出す形状で設置されるもので、上側から吊るすものや下側から支えるもの等がある。
【０００３】
また、仮囲いの布やパイプを利用して組み立てる簡易的なものや鋼板を用いるもの等があり、枠組足場内での組立や解体を容易に行うことができる。
【０００４】
従来の仮設用朝顔装置に関する発明として、例えば特許文献１〜３記載の発明がある。
【０００５】
特許文献１には、主枠材対の基端を取付ブラケットを介して仮設足場に回動自在に取り付ける折畳式朝顔装置が記載されている。主枠材を仮設足場から斜め上向きに張り出し可能に支持し、主枠材対の端部を連結して形成した枠内にパネルを配設している。
【０００６】
取付ブラケットには、複数のピン孔を貫設し、且つピン孔の夫々直下方にボルト挿通孔を形成する。ボルト挿通孔相互間にボルトが横移動可能な連通孔を形成する一方、主枠材取付けピン、ボルト、ナットと連結部材とからなり、ボルトの先端部側にナットがスライド可能な軸部を形成してなるピン、ボルト、ナットセットを設けている。
【０００７】
特許文献２には、１又は複数対の主部材の基端を仮設足場に上下方向に回動自在に取付け、主部材の先端部と基端部を先端連結部材と基端連結部材にてそれぞれ連結して枠を形成している折畳式朝顔装置が記載されている。
【０００８】
枠内には複数枚のパネルを配設して固定し、仮設足場の主部材取付位置から上下方向に適当距離の位置に各主部材に対応させて上下方向に延びるガイド部を取付ける。主部材には、斜部材の一端を回動自在に連結し、斜部材の他端をガイド部にてその長手方向に移動自在に支持するとともにガイド部の所定位置で固定する固定手段を設けている。
【０００９】
特許文献３には、仮設足場の建地に取り付けられる本体金具と、この本体金具に基端部が取り付けられる本体アームと、隣り合う本体アームの基端部同士及び先端部同士をそれぞれ連結するつなぎ材と、隣り合う本体アーム間に配設される筋違を備えた簡易養生朝顔が記載されている。
【００１０】
つなぎ材が、第一つなぎ材と第二つなぎ材を長さ調整可能に組み合わせて構成され、つなぎ材及び筋違の端部を本体アームに着脱自在に取り付ける取付ピンが本体アームの基端部と先端部にそれぞれ複数個配設されている。
【先行技術文献】
【特許文献】
【００１１】
【特許文献１】特開２００８−１１５６４４号公報
【特許文献２】実用新案登録第２５２７０８９号公報
【特許文献３】特許第３７９０５２１号公報
【発明の概要】
【発明が解決しようとする課題】
【００１２】
従来、枠組足場の建枠のスパンは、インチサイズ系統、メーターサイズ系統、特殊サイズ等の種類がある。例えば、一般的に使われるサイズとして、インチサイズの１８２９ｍｍとメーターサイズの１８００ｍｍがあるが、サイズが異なるため、１８２９ｍｍと１８００ｍｍの朝顔装置を別々に用意する必要があった。つまり、建枠のスパンのサイズに合わせた朝顔装置を多数用意しておかなければならなかった。
【００１３】
特許文献１、２の場合、折畳式朝顔装置に関する発明であるため、建枠のスパンの長さに合わせて、それぞれ朝顔装置を用意する必要がある。
【００１４】
特許文献３の場合、長さ調整可能なつなぎ材と少ない種類の筋違で種々のスパンの系統に合わせることができる朝顔装置が示されているが、第一つなぎ材に接続する第二つなぎ材を適宜選択する必要があり、長穴とボルトにより長さを微調整するため、種々のスパンに対応できるが、非常に手間がかかってしまう。
【００１５】
本発明では、従来技術における上述のような課題の解決を図ったものであり、仮設足場を構成する建枠のスパンのサイズに一種類で容易に対応し、簡単に装着できる安全性の高い仮設用朝顔装置を提供することを目的としている。
【課題を解決するための手段】
【００１６】
請求項１に係る発明は、仮設足場を構成する建枠１スパンごとに１つずつ取り付けられる複数の支持アームと、隣接する支持アーム間にそれぞれ取り付けられるパネル部とからなる仮設用朝顔装置であって、前記支持アームは、一端が前記建枠に対し上部取付金具を介して取り付けられ、仮設足場の外方向に張り出して、前記パネル部の両側を支持する主受材と、一端が前記建枠に対し前記主受材より下方位置で下部取付金具を介して取り付けられ、他端が前記主受材の下面に接続される方杖材とからなり、前記パネル部は、該パネル部の枠組を構成する複数のフレーム材とフレーム材間に取り付けた板材とからなり、前記パネル部の建枠側基部が前記支持アームの主受材の建枠側基部に対し回動自在に取り付けられ、前記パネル部の先端両側部には、前記支持アームの先端部に対し、係脱可能な係合部が設けられていることを特徴とするものである。
【００１７】
従来の朝顔装置は、１枚のパネル部の両サイドに１本ずつの合計２本の支持アームを設け、支持アームに直接パネル部を設置する構成が多い。
【００１８】
しかし、本発明では、支持アームに直接パネル部を取り付けるのではなく、パネル部にフレーム材を設け、そのフレーム材と支持アームを連結し、１本の支持アームに対して、両側の２枚のパネル部の側端部を設置することができる構成とする。
【００１９】
例えば、２スパンの場合、従来は、２枚のパネル部を取り付けるために４本の支持アームを必要としていたが、本発明では３本の支持アームで２枚のパネル部を取り付けることができることになる。
【００２０】
本発明は、支持アーム１本に対して、２枚のパネル部を取り付けるため、支持アームに幅を持たせることによって、１スパンのある程度のサイズの変化に対応させることができ、パネル部の大きさが多少変わっても容易に取り付けることが可能となる。
【００２１】
例えば、一般的な建枠スパンであるインチサイズの１８２９ｍｍと、メーターサイズの１８００ｍｍの場合、差が２９ｍｍであるが、同じ部材で容易に対応させ、取り付けることが可能となる。
【００２２】
支持アームは、パネル部の両側を支持する主受材と、主受材の下方から支持するための方杖材とからなっている。主受材の一端に、建枠に取り付けるための上部取付金具を設けて、主受材を仮設足場から外方向に張り出す形状で取り付ける。
【００２３】
方杖材の一端には、主受材より下方の位置の建枠に取付けるための下部取付金具を設け、他端は主受材の下面に接続することによって、方杖材が主受材を下方から支える形状で建枠に取り付けることができる。
【００２４】
パネル部は、枠組を構成する複数のフレーム材と、フレーム材間に取り付ける板材によって構成されている。板材を支持アームに直接取り付けるのではなく、板材を取り付けるためのフレーム材を設け、フレーム材を支持アームに取り付ける構成にすることで、支持アームとパネル部を別々に動かすことができる。
【００２５】
また、パネル部の建枠側基部を支持アームの主受材の建枠側基部に対し回動自在に取り付けることによって、支持アームを設置した後にパネル部を外方向に倒し、支持アーム間に設置することができる。
【００２６】
例えば、支持アームを固定した後、パネル部の左右のフレーム材の先端にロープ等を通し、左右均等に徐々に緩めながら、パネル部を外方向へ倒して設置することも可能である。
【００２７】
一方、パネル部の先端両側部には、支持アームの先端部に固定するための係脱可能な係合部を設ける。係合部は、パネル部を外方向へ倒し、支持アームに接合する際に、支持アームに容易に係合できるものが好ましい。解体時にパネル部を取り外す際にも手間のかからない形状が好ましく、強度面や安全性等に問題がないものであればよい。
【００２８】
また、建枠のスパンのサイズに多少差があっても対応できる係合部が好ましい。例えば、図４、５、１６に示したような長孔状の係合金具を支持アームの先端に設け、パネル部の先端にはバネを組み込んだ棒状の金具を設ける。係合金具の長孔の幅が３０ｍｍの場合、建枠１スパンがメーターサイズの１８００ｍｍの場合やインチサイズの１８２９ｍｍの場合でもどちらでも取り付けることが可能であり、長孔の幅によって、建枠のスパンのサイズの差に容易に対応することができる。
【００２９】
請求項２に係る発明は、請求項１記載の仮設用朝顔装置において、前記方杖材を伸縮自在とし、前記主受材の下面に回動自在に接続することで、支持アームを折り畳み可能としてあることを特徴とするものである。
【００３０】
方杖材が伸縮自在かつ回動自在であれば、支持アームを運搬する際に、支持アームを折り畳むことができ、運びやすい。
【００３１】
また、方杖材の長さや取付角度を調整できることによって、隣接する建物等の状況を把握しながら、主受材の取付角度を調節し、支持アームを固定することが可能になる。
【発明の効果】
【００３２】
本発明は、以上のような構成からなるので、次のような効果が得られる。
【００３３】
(１)１本の支持アームで、２枚のパネル部を受けるようにし、支持アームの主受材の幅と、主受材先端部に設ける係合部の形状（例えば、長孔等）によって、スパンの長さの差（パネル部の大きさの違い）に容易に対応させることができる。スパンのサイズ毎に朝顔装置を用意する手間や費用が省け、経済的である。
【００３４】
(２)フレーム材を介してパネル部を支持アームに取り付け、パネル部の建枠側基部を支持アームの主受材の建枠側基部に対して回動自在に取付けることによって、支持アームを取付けて固定した後、パネル部を設置することができる。
【００３５】
(３)パネル部の先端と支持アームの先端部に、係脱可能な係合部を設けることで、パネル部の取り付け・取り外しの手間がかからなくなる。
【図面の簡単な説明】
【００３６】
【図１】本発明に係る仮設用朝顔装置の一実施形態を示した斜視図である。
【図２】図１の実施形態における上部取付金具部分の拡大斜視図である。
【図３】図１の実施形態における下部取付金具部分の拡大斜視図である。
【図４】図１の実施形態におけるパネル部の係合部を示した拡大斜視図である。
【図５】図１の実施形態における主受材の係合部を示した拡大斜視図である。
【図６】図１の実施形態における上部取付金具および下部取付金具の詳細図である。
【図７】図１の実施形態における主受材基部金具の詳細図である。
【図８】図１の実施形態における方杖材基部金具の詳細図である。
【図９】図１の実施形態におけるパネル部ヒンジ金具の詳細図である。
【図１０】図１の実施形態における方杖材接続金具の詳細図である。
【図１１】図１の実施形態における板受上枠金具の詳細図である。
【図１２】図１の実施形態における振れ止め金具の詳細図である。
【図１３】図１の実施形態における板押さえ金具の詳細図である。
【図１４】図１の実施形態における板押さえアングルの詳細図である。
【図１５】図１の実施形態における板押さえプレートの詳細図である。
【図１６】図１の実施形態における主受材の係合金具とパネル部固定金具の詳細図である。
【図１７】図１の実施形態における吊上げ金具の詳細図である。
【図１８】図１の実施形態における位置決め金具の詳細図である。
【図１９】図１の実施形態における抜け止め金具の詳細図である。
【図２０】図１の実施形態における延長板の蝶番の詳細図である。
【図２１】図１の実施形態におけるフレーム材締込金具の詳細図である。
【図２２】図１の実施形態における主受材の断面図を示したものである。
【図２３】図１の実施形態における方杖外材の断面図を示したものである。
【図２４】図１の実施形態における方杖内材の断面図を示したものである。
【図２５】図１の実施形態における板受縦枠の断面図を示したものである。
【図２６】図１の実施形態における上部板材受けの断面図を示したものである。
【図２７】図１の実施形態における下部板材受けの断面図を示したものである。
【図２８】図１の実施形態における板材押さえの断面図を示したものである。
【図２９】図１の実施形態における板材の断面図を示したものである。
【発明を実施するための形態】
【００３７】
以下、本発明を添付した図面に基づいて説明する。なお、本発明は以下に示される実施形態に限定されるものではない。
【００３８】
図１は、本発明に係る仮設用朝顔装置１の一実施形態を示した斜視図である。図２は図１の実施形態における上部取付金具１４の部分、図３は下部取付金具１５の部分、図４と図５は支持アーム１１とパネル部２１の係合部をそれぞれ示した拡大斜視図である。図６〜２１は、各部品の詳細図を示し、図２２〜２９には各部材の断面図を示した。
【００３９】
〔構成〕
仮設用朝顔装置１は、大きく分けると支持アーム１１とパネル部２１から成り立っている。
【００４０】
支持アーム１１は、主受材１２と方杖材１３とからなる。主受材１２を建枠に固定するため、図７に示した主受材基部金具１２ｂを用いて、主受材１２の一端と図６に示した上部取付金具１４を接合し、上部取付金具１４を建枠に取り付ける（図１、２参照）。
【００４１】
主受材１２の他端には、図５で示したような支持アーム係合部１６を設ける。支持アーム係合部１６は、パネル部２１を係合し固定するための係合金具１６ａ（図１６参照）と、最端部にはロープ等を通して吊りあげるための吊上げ金具１２ａ（図１７参照）を備えている。
【００４２】
主受材１２は、上部取付金具１４に主受材基部金具１２ｂを介して取り付けることによって回動自在としているが、最終的に固定するために吹き上げ防止ピン１４ａを設けておく（図２、６参照）。
【００４３】
また、１本の主受材１２に対し、２枚のパネル部２１を取り付けるものとし、主受材１２の断面形状の例を図２２に示した。
【００４４】
方杖材１３の一端は、主受材１２の下方の建枠に固定した下部取付金具１５（図６参照）に、図８で示した方杖材基部金具１３ｃを用いて、図１、３で示したように接合している。
【００４５】
方杖材１３の他端は、図１０で示した方杖材接続金具１３ｄを用いて、主受材１２端部の下面に取り付け、支持アーム１１を折畳み可能としている。
【００４６】
方杖材１３は、方杖外材１３ａと方杖外材１３ａより細い形状の方杖内材１３ｂを重ねた二重構造とし、伸縮可能としている。断面形状の例として、方杖外材１３ａを図２３に、方杖内材１３ｂを図２４に示し、方杖内材１３ｂを方杖外材１３ａに固定するための位置決め金具１３ｅや抜け止め金具１３ｆを図１８、１９に示した。
【００４７】
図３に示したように方杖材１３も主受材１２と同様に、下部取付金具１５に方杖材基部金具１３ｃを介して取り付けることによって、建枠に対して回動自在になり、抜け止めピン１５ａを挿して、方杖材１３を固定する。
【００４８】
本明細書では、上部取付金具１４と下部取付金具１５の実施例を図６に示したが、主受材１２や方杖材１３を回動自在に建枠に取り付けることができ、安全性に問題がなければ、特に形状や材質等は問わない。
【００４９】
また、主受材１２と上部取付金具１４は、建枠に取り付ける前にあらかじめ主受材１２と上部取付金具１４を接合しておいてもよいが、上部取付金具１４を建枠に取り付けた後主受材１２を上部取付金具１４に取り付けても構わない。方杖材１３と下部取付金具１５の接合に関しても同様である。
【００５０】
パネル部２１は、板材２２と板材２２を固定するフレーム材２３からなっている。図２９に、板材２２の断面形状の実施例を示したが、アルミや鋼板など強度や耐久性に問題がないものであれば材質や形状等は問わない。
【００５１】
フレーム材２３は、２本の板受縦枠２３ａ、上部板材受け２３ｂ、下部板材受け２３ｃの計４本で四角い額縁状のものを形成し、板材２２の下面には２本の板材斜めフレーム２３ｅを、上面には板材押さえ２３ｄを取り付け、板材２２を挟み込む。
【００５２】
フレーム材２３をなす板受縦枠２３ａ、上部板材受け２３ｂ、下部板材受け２３ｃ、板材押さえ２３ｄの断面形状の例を図２５〜２８に示し、各部材の接合金具の例を図１１〜１５に示した。
【００５３】
板受縦枠２３ａに対して、上部板材受け２３ｂを取り付ける板受上枠金具２３ｆを図１１に示し、板材斜めフレーム２３ｅを取り付ける振れ止め金具２３ｇを図１２に示した。同様に、板受縦枠２３ａに板材押さえ２３ｄを取り付けるための板押さえ金具２３ｈ、板押さえアングル２３ｉ、板押さえプレート２３ｊを図１３〜１５に示した。
【００５４】
支持アーム１１の建枠側基部とパネル部２１の建枠側基部との接合は、図２に示したように、主受材１２基部に図９に示したパネル部ヒンジ金具２１ａを用いて、パネル部ヒンジ金具２１ａとパネル部２１の板受縦枠２３ａとを接合し、パネル部２１を回動自在になるように上部取付金具１４に接合している。
【００５５】
支持アーム１１の主受材１２とパネル部２１の板受縦枠２３ａを直に取り付けるのではなく、パネル部ヒンジ金具２１ａを介して取り付けることで、主受材１２を外方向に固定した後、パネル部２１を主受材１２基部に装着し、回動自在に動かすことができる。
【００５６】
一方、主受材１２の先端部には図５に示した支持アーム係合部１６を設け、パネル部２１の先端部である板受縦枠２３ａの先端部には図４に示したパネル部係合部２５を設けて、支持アーム１１とパネル部２１を連結し固定する。
【００５７】
主受材１２の先端には、図５、１６に示したように長孔１６ｂを２か所備えた係合金具１６ａを設けた。長孔１６ｂは、１本の主受材１２に対して、パネル部２１を２枚取り付けるために２か所設けている。
【００５８】
また、係合金具１６ａに設ける係合部の長孔１６ｂに幅をもたせることで、パネル部２１のサイズに多少の誤差が生じた場合にも対応することができ、各部材のサイズを調整することなく容易に取り付けることが可能である。
【００５９】
パネル部係合部２５には、支持アーム係合部１６の係合金具１６ａに嵌合する形状のパネル部固定金具２５ａを板受縦枠２３ａの先端に設け（図４、１６参照）、パネル部固定金具２５ａの先端を係合金具１６ａの長孔１６ｂに貫通させて、パネル部２１を支持アーム１１に固定する。
【００６０】
なお、本明細書中で示している実施例は、主受材１２の幅を１００ｍｍとしている。係合金具１６ａの長孔１６ｂを２８ｍｍとし、長孔径を１１ｍｍとすると、パネル部２１の片側における係合位置に関し、左右方向にＡ＝１７ｍｍの余裕幅（遊間）を持たせていることになる。
【００６１】
例えば、メーターサイズの１８００ｍｍとインチサイズの１８２９ｍｍの場合、２９ｍｍの差があるが、係合金具１６ａの長孔１６ｂにおける係合位置の左右方向の余裕がパネル部２１の両側で２９ｍｍ以上、好ましくは３０ｍｍ以上（片側１５ｍｍ以上）であれば、メーターサイズの１８００ｍｍとインチサイズの１８２９ｍｍのどちらでも取り付けることが可能になる。
【００６２】
よって、仮設足場の建枠のスパン長によって、仮設用朝顔装置１の各部材のサイズを変える必要性がなくなり、経済的である。
【００６３】
さらに、仮設用朝顔装置１を設置した際に、仮設足場とパネル部２１との間に生じる隙間を塞ぐための延長板２４を設けた。
【００６４】
仮設足場には、防音パネル、養生枠、養生シート等を取り付けるが、仮設足場に取り付ける種類によって、仮設用朝顔装置１のパネル部２１と仮設足場との間に生じる隙間の厚みが異なる。
【００６５】
その隙間を塞ぐために、パネル部２１の下部板材受け２３ｃに蝶番２４ａを介して延長板２４を取付け（図１、２参照）、より安全性を向上させる。例えば、防音パネルのような厚みのあるものを取り付ける場合は延長板２４を起こした状態とし、シート等の薄いものを取り付ける場合は延長板２４を倒す。延長板２４の倒す角度を調整して、隙間を塞ぐことによって、落下災害を防止することができる。
【００６６】
以上に、本発明に係る仮設用朝顔装置１の構造を述べたが、あくまで実施例の１つであり、本明細書で示した断面形状や構成に限定されるものではない。また、支持アーム１１やパネル部２１等の仮設用朝顔装置１の各部材は、強度や耐久性等の使用上で問題がなければどのような材質のものを用いても構わない。
【００６７】
〔設置手順〕
次に、本発明に係る仮設用朝顔装置１の設置手順を述べる。
【００６８】
（１）建枠に上部取付金具１４を取付け、上部取付金具１４の下方の建枠に下部取付金具１５を取付け、固定する。
【００６９】
（２）主受材１２端部の下面に、方杖材接続金具１３ｄを用いて、方杖材１３を接続しておく。
【００７０】
（３）（２）で接続した主受材１２と方杖材１３を折り畳んで立てた状態にして、上部取付金具１４に、主受材基部金具１２ｂを用いて主受材１２を差し込む。
【００７１】
（４）方杖外材１３ａ、方杖内材１２ｂを用いて方杖材１３を伸ばし、下部取付金具１５に、方杖材基部金具１３ｃを用いて方杖材１３を取り付ける。
【００７２】
（５）主受材１２の先端に取り付けてある吊上げ金具１２ａにロープ等を通し、方杖外材１３ａ、方杖内材１２ｂによって方杖材１３の長さを調整しながら、徐々に外側に主受材１２を倒していく。
【００７３】
（６）主受材１２の取付角度を決めることによって、方杖材１３の長さと取付角度を固定することができる。方杖材基部金具１３ｃと下部取付金具１５に抜け止めピン１５ａを貫通させ、方杖材１３を固定する（図３参照）。
【００７４】
（７）パネル部ヒンジ金具２１ａを板受縦枠２３ａに取り付けておき、パネル部ヒンジ金具２１ａを主受材基部金具１２ｂに差し込んで、板受縦枠２３ａを取り付ける（図２参照）。
【００７５】
（８）板受縦枠２３ａの先端部に、上部板材受け２３ｂを掛け渡し、板受上枠金具２３ｆを用いて取り付ける。
【００７６】
（９）板受縦枠２３ａの基部に、下部板材受け２３ｃを掛け渡し、取り付ける。
【００７７】
（１０）板受縦枠２３ａの下面に板材斜めフレーム２３ｅを斜めに掛け渡し、振れ止め金具２３ｇを用いて取り付ける。
【００７８】
（１１）板受縦枠２３ａ、上部板材受け２３ｂ、下部板材受け２３ｃの四角い額縁状で囲まれた部分に板材２２を嵌め込む。
【００７９】
（１２）板材２２の上に、板材押さえ２３ｄを掛け渡し、板押さえ金具２３ｈ、板押さえアングル２３ｉ、板押さえプレート２３ｊを用いて板受縦枠２３ａに取り付ける。
【００８０】
（１３）下部板材受け２３ｃに蝶番２４ａを介して、延長板２４を取り付ける。
【００８１】
（１４）板受縦枠２３ａの先端部にあるパネル部固定金具２５ａ（図４参照）にロープ等を通しておき、パネル部２１を主受材１２に接するまで徐々に外側へ倒し、支持アーム係合部１６の係合金具１６ａにパネル部固定金具２５ａを嵌合する。
【００８２】
（１５）主受材基部金具１２ｂとパネル部ヒンジ金具２１ａに吹き上げ防止ピン１４ａを貫通させ、主受材１２とパネル部２１を固定する。
【００８３】
（１６）主受材１２に設けたフレーム材締込金具１１ａを９０度回し、パネル部１２の浮き上がりを防止する。
【００８４】
以上に、本発明に係る仮設用朝顔装置の設置手順の例を示したが、この手順に限らないことは言うまでもない。
【符号の説明】
【００８５】
１…仮設用朝顔装置、
１１…支持アーム、１１ａ…フレーム材締込金具、
１２…主受材、１２ａ…吊上げ金具、１２ｂ…主受材基部金具、
１３…方杖材、１３ａ…方杖外材、１３ｂ…方杖内材、１３ｃ…方杖材基部金具、１３ｄ…方杖材接続金具、１３ｅ…位置決め金具、１３ｆ…抜け止め金具、
１４…上部取付金具、１４ａ…吹き上げ防止ピン、
１５…下部取付金具、１５ａ…抜け止めピン、
１６…支持アーム係合部、１６ａ…係合金具、１６ｂ・・・長孔、Ａ…余裕幅（遊間）、
２１…パネル部、２１ａ…パネル部ヒンジ金具、
２２…板材、
２３…フレーム材、２３ａ…板受縦枠、２３ｂ…上部板材受け、２３ｃ…下部板材受け、２３ｄ…板材押さえ、２３ｅ…板材斜めフレーム、２３ｆ…板受上枠金具、２３ｇ…振れ止め金具、２３ｈ…板押さえ金具、２３ｉ…板押さえアングル、２３ｊ…板押さえプレート、
２４…延長板、２４ａ…蝶番、
２５…パネル部係合部、２５ａ…パネル部固定金具
【図１】
2012117340.tif 000003
【図２】
2012117340.tif 000004
【図３】
2012117340.tif 000005
【図４】
2012117340.tif 000006
【図５】
2012117340.tif 000007
【図６】
2012117340.tif 000008
【図７】
2012117340.tif 000009
【図８】
2012117340.tif 000010
【図９】
2012117340.tif 000011
【図１０】
2012117340.tif 000012
【図１１】
2012117340.tif 000013
【図１２】
2012117340.tif 000014
【図１３】
2012117340.tif 000015
【図１４】
2012117340.tif 000016
【図１５】
2012117340.tif 000017
【図１６】
2012117340.tif 000018
【図１７】
2012117340.tif 000019
【図１８】
2012117340.tif 000020
【図１９】
2012117340.tif 000021
【図２０】
2012117340.tif 000022
【図２１】
2012117340.tif 000023
【図２２】
2012117340.tif 000024
【図２３】
2012117340.tif 000025
【図２４】
2012117340.tif 000026
【図２５】
2012117340.tif 000027
【図２６】
2012117340.tif 000028
【図２７】
2012117340.tif 000029
【図２８】
2012117340.tif 000030
【図２９】
2012117340.tif 000031